(57)【要約】本発明は、乗物の座席のための加熱クッション（１００）に関し、このクッションは、第一の主表面および第二の主表面を有する上部品（１１０）、ならびに第一の主表面および第二の主表面を有する下部品（１３０）を備える。これらの部品（１１０、１３０）は、それらの第一の主表面が、互いに接して配置され、そして一方の第一の主表面上に、加熱用コイル（１２０）が配置される。上部品（１１０）および下部品（１３０）は、それぞれの第一の主表面上の各々に、Ｖｅｌｃｒｏ材料の固定システムの一方の半要素（１１５、１３５）を有し、そして加熱用コイル（１２０）は、主表面のＶｅｌｃｒｏ要素（１１５、１３５）によって、その主表面に固定される。好都合には、少なくとも１つの部品（１１０、１３０）は、布材料で作製される。
2008513099.tif 000002
【特許請求の範囲】
【請求項１】
乗物の座席のための加熱クッション（１００）であって、該クッションは、第一の主表面および第二の主表面を有する上部品（１１０）、ならびに第一の主表面および第二の主表面を有する下部品（１３０）を備え、該部品（１１０、１３０）は、該第一の主表面が互いに面するように配置され、一方の第一の主表面上に、加熱用コイル（１２０）が配置され、該加熱クッションは、該上部品（１１０）および該下部品（１３０）が、それぞれの第一の主表面上に、各々、Ｖｅｌｃｒｏ材料の固定システムの一方の半要素（１１５、１３５）を有すること、ならびに該上部品（１１０）および該下部品（１３０）が互いに係合される場合に、該部品のそれぞれの主表面の該Ｖｅｌｃｒｏ要素が、加熱用コイル（１２０）を閉じ込め、そして該加熱用コイルを該クッション（１００）に固定することに寄与することを特徴とする、加熱クッション。
【請求項２】
少なくとも１つの部品（１１０、１３０）が、布材料から作製されている、請求項１に記載の加熱クッション（１００）。
【請求項３】
乗物の座席のための加熱シート（１００）を製造するための方法であって、該シートは、第一の主表面および第二の主表面を有する上部品（１１０）、ならびに第一の主表面および第二の主表面を有する下部品（１３０）を備え、該上部品（１１０）および該下部品（１３０）は、それぞれの第一の主表面上に、各々、Ｖｅｌｃｒｏ材料の固定システムの一方の半要素（１１５、１３５）を有し、さらに、加熱用ワイヤ（１２０）を備え、該方法は、該シートの製造において、該加熱用ワイヤ（１２０）が、最初に、該主表面のうち一方のＶｅｌｃｒｏ材料に押し付けられ、その結果、該主表面上の個々のＶｅｌｃｒｏ要素が、該ワイヤ（１２０）を閉じ込め、そして該ワイヤを、特定の主表面に保持することを特徴とする、方法。
【請求項４】
前記加熱用ワイヤ（１２０）が、最初に、前記主表面上に押し付けられ、該主表面の前記Ｖｅｌｃｒｏ要素が、フックなどによって構成されており、そして該フックなどが、該ワイヤに絡みつき、そして該ワイヤを閉じ込め、その後、前記第二の主表面が適用される、請求項３に記載の方法。
【発明の詳細な説明】
【技術分野】
【０００１】
（技術分野）
本発明は、乗物の座席用の加熱クッションに関する。本発明による加熱クッションは、上部品および下部品、ならびに加熱用コイルを備える。
【背景技術】
【０００２】
（背景技術）
乗物の座席用の加熱シートおよび加熱クッションは、多くの異なるバージョンで見出され得る。熱は、頻繁には、電気によって発生され、この電気は、このシートまたはクッション内に配置された、１つ以上のいわゆる加熱用ワイヤを通して、伝導される。
【０００３】
公知の加熱シートまたは加熱クッションにおいて、加熱用ワイヤは、しばしば、接着剤によって、このシート内の２つの層の間に配置される。この接着剤によって、このワイヤが固定され、そしてこれらの２つの部品が、一緒に保持される。しかし、これらの２つの層を一緒に保持し、そしてワイヤを接着剤で固定することは、多数の欠点を引き起こす。使用される接着剤は、しばしば、温度によって変動する接着性を有する（とりわけ、この接着剤が老化した場合）。このことは、比較的低い温度においてさえも、これらの部品を緩め得る。
【０００４】
接着剤で一緒にされた部品に伴う別の問題は、部品の再利用に関する要件の増加に関連する。接着される構成要素は、分解することが困難であり、そしてさらに、これらの構成要素は、これらが分解されると、接着剤で「汚染」されている。
【０００５】
一緒に接着された部品に関する別の欠点は、最近の乗物の座席において、しばしば、換気システムが存在することである。座席の表面が、構成要素が接着されているシートによって覆われる場合、このシート自体が、シート表面の良好な換気を妨げる。
【発明の開示】
【発明が解決しようとする課題】
【０００６】
（発明の開示）
従って、乗物の座席用の公知のクッションの欠点を有さない、乗物の座席用の加熱クッションが必要とされている。
【課題を解決するための手段】
【０００７】
上記要求は、本発明が、乗物の座席用の加熱クッションを開示する点で、本発明によって適えられる。本発明の加熱クッションは、第一の主表面および第二の主表面を有する上部品、ならびに第一の主表面および第二の主表面を有する下部品を備え、これらの部品は、それらの第一の主表面が互いに面するように配置される。
【０００８】
一方の部品の１つの主表面上には、加熱用コイルが配置されており、そして上部品と下部品との各々は、Ｖｅｌｃｒｏ材料の固定システムの一方の半要素を有し、この加熱コイルは、この主表面のＶｅｌｃｒｏ要素によって、その主表面に固定される。
【０００９】
従って、本発明により、再利用の目的で構成要素が互いから容易に分離され得、そしてこれらの構成要素が、さらに、温度にも老化にも左右されない粘着を有する、加熱シートが得られる。
【００１０】
これらのシート構成要素はまた、空気の流れを閉塞せず、このことは、このシートを、換気システムを有する乗物の座席に組み込むことを可能にする。有利には、このシートの上部品または下部品は、布材料で実現され、これは、空気の透過性をさらに増加させ、そしてＶｅｌｃｒｏ材料をこれらのシート部品に組み込む可能性を増加させる。
【発明を実施するための最良の形態】
【００１１】
本発明は、添付の図面を参照して、以下により詳細に記載される。
【００１２】
（実施形態）
図１は、本発明による加熱シート１００における、基本的な構成要素部品を図示する。この図から見られ得るように、シート１００は、上部品１１０および下部品１３０を備え、これらの両方が、好ましくは、実質的に平坦であり、そして第一の主表面および第二の主表面を有する。２つの部品１１０および１３０の、それぞれの第一の主表面は、得られるシート１００において、互いに接して配置されるように意図される。
【００１３】
シート１００の別の１つの構成要素は、加熱用ワイヤ１２０であり、これは、このワイヤに熱を発生させるために、外部システム（図１にも図２にも示されない）に接続される。この外部システムは、通常、乗物における電気システムであり、これは、発せられる熱の量を制御するための制御システムを備え得る。
【００１４】
加熱用ワイヤ１２０をシート１００に固定するため、ならびに２つの部品１１０および１３０を一緒に保持するために、種々の型の、湿式接着剤または乾式接着剤が、伝統的に使用されており、乾式接着剤は、例えば、熱で活性化され得る。上記のように、このことには多くの欠点がある。例えば、このシートを可能な再利用のために分解することを困難にすること、接着性が老化および周囲温度とともに変動すること、ならびにシートの換気がより困難にされることが挙げられる。
【００１５】
これらの問題を解決するために、本発明によるシート１００は、これらのシートを一緒に保持するため、および加熱用コイル１２０を固定するために、代替のシステムを備える。上部品１１０および下部品１３０は、これらのそれぞれの第一の主表面上に、各々、Ｖｅｌｃｒｏ材料（より一般的には、「フックおよびループ」と称される）の固定システムの一方の半要素１１５および１３５をそれぞれ有する。
【００１６】
Ｖｅｌｃｒｏ要素１１５および１３５は、図１に、シート部品１１０、１３０から離して示されているが、これらのシート部品が互いに面するように、それぞれのシート部品の第一の主表面上に配置されることが意図される。Ｖｅｌｃｒｏ要素１１５、１３５は、もちろん、本発明の範囲内で、種々の様式でそれらのそれぞれの主表面に固定され得るが、好ましい実施形態において、部品１１０、１３０のうちの少なくとも一方が、布材料から作製される。好ましくは、部品１１０と１３０との両方が布で作製され、このことは、Ｖｅｌｃｒｏ要素１１５、１３５がこの布に組み込まれることを可能にする。
【００１７】
加熱用ワイヤ１２０をシート１００における所望の位置に固定するために、Ｖｅｌｃｒｏ要素１１５、１３５が使用される。完成したシート１００において、両方の表面の要素が組み合わせられて、ワイヤ１２０を固定するが、製造段階においては、一方の表面にあるＶｅｌｃｒｏ要素のみが、最初に使用される。このことは、シート１００の製造または組み立てにおいて、加熱用ワイヤ１２０が、Ｖｅｌｃｒｏ表面１１５、１３５に押し付けられることを包含し、これによって、個々のＶｅｌｃｒｏ要素が、このワイヤを閉じ込め、そしてこのワイヤを、特定の部品１１０、１３０の主表面上に保持する。必須ではないが、有利には、加熱用ワイヤ１２０は、Ｖｅｌｃｒｏ表面上に配置またはプレスされ、これは、フックなどによって構成され、これらのフックは、このワイヤに絡み付いて取り囲み、それから、第二の主表面が適用される。
【００１８】
このことは、図２に示されている、図２において、ワイヤ１２０は、下部品１３０のＶｅｌｃｒｏ要素１３５に挟まれており、この後、上部品１１０が下部品に適用されて、Ｖｅｌｃｒｏ表面１１５、１３５が互いに係合する。上部品および下部品が互いに係合すると、両方の表面のＶｅｌｃｒｏ要素が加熱用ワイヤ１２０を閉じ込め、そして組み合わせられて、この加熱用ワイヤを、シート１００における所望の位置に固定する。
【００１９】
従って、本発明により、乗物の座席用の加熱シートが得られ、このシートは、再利用のために容易に分解され、乗物の座席の換気を閉塞しない。なぜなら、主要な要素が布で作製され得、そしてこれらの要素の固定が温度にも老化にも左右されないからである。
【図面の簡単な説明】
【００２０】
【図１】図１は、本発明による加熱シートの構成要素を示す。
【図２】図２は、図１の構成要素がどのように組み立てられるようになっているかを示す。
【図１】
2008513099.tif 000003
【図２】
2008513099.tif 000004
【国際調査報告】
2008513099.tif 000005
2008513099.tif 000006
2008513099.tif 000007